(57)【要約】  本発明は、ユーザ端末でのデバイス内の共存干渉を処理するための方法及びシステムに関する。上記方法は、ロングタームエボルーション（ＬＴＥ）無線技術の複数のキャリア周波数の中の１つ以上の周波数と非ＬＴＥ無線技術の少なくとも１つの周波数との間のデバイス内の共存干渉を検出するステップと、測定対象が設定された前記１つ以上のＬＴＥキャリア周波数の中の少なくとも１つを決定するステップと、前記少なくとも１つのＬＴＥキャリア周波数が前記デバイス内の共存干渉により影響を受けたことをネットワークエンティティに表示するステップと、を含む。上記干渉情報は、上記少なくとも１つのキャリアＬＴＥ周波数の測定対象識別子、干渉方向（ＤＯＩ）、及び時間ドメイン多重化アシスタンス情報を含む。上記方法は、上記ユーザ端末でのデバイス内の共存干渉緩和を助ける構成ソリューションを受信するステップをさらに含む。
2015500600.tif 000002
【特許請求の範囲】
【請求項１】
ユーザ端末でのデバイス内の共存干渉を処理する方法であって、
ロングタームエボルーション（ＬＴＥ）無線技術の複数のキャリア周波数の中の１つ以上の周波数と非ＬＴＥ無線技術の少なくとも１つの周波数間のデバイス内の共存干渉を検出するステップと、
測定対象が設定された前記１つ以上のＬＴＥキャリア周波数のうちの少なくとも１つを決定するステップと、
前記少なくとも１つのＬＴＥキャリア周波数が前記デバイス内の共存干渉により影響を受けていることをネットワークエンティティに表示するステップと
を有することを特徴とする方法。
【請求項２】
前記デバイス内の共存干渉を緩和させるためのケーパビリティを表示したケーパビリティ情報を交換するステップと、
前記ネットワークエンティティから測定設定を受信するステップと、をさらに有することを特徴とする請求項１に記載の方法。
【請求項３】
前記測定設定は、１つ以上の測定対象を表示し、それぞれの測定対象は、ＬＴＥキャリア周波数を示すことを特徴とする請求項２に記載の方法。
【請求項４】
前記少なくとも１つのＬＴＥキャリア周波数と関連した前記デバイス内の共存干渉を緩和させるための構成ソリューションを前記ネットワークエンティティから受信するステップをさらに有することを特徴とする請求項１に記載の方法。
【請求項５】
前記測定対象に対応する１つ以上のキャリア周波数の中の少なくとも１つを決定するステップは、前記ユーザ端末で前記デバイス内の共存干渉が緩和されることができない前記測定対象に対応する少なくとも１つのＬＴＥキャリア周波数を決定するステップを有することを特徴とする請求項１に記載の方法。
【請求項６】
前記測定対象に対応する前記少なくとも１つのＬＴＥキャリア周波数と前記少なくとも１つの非ＬＴＥキャリア周波数間のデバイス内の共存干渉の方向を決定するステップをさらに有することを特徴とする請求項１に記載の方法。
【請求項７】
前記デバイス内の共存干渉の方向を決定するステップは、前記少なくとも１つのＬＴＥキャリア周波数と前記非ＬＴＥキャリア周波数から前記デバイス内の共存干渉のビクティム及びアグレッサを識別するステップを有することを特徴とする請求項６に記載の方法。
【請求項８】
前記少なくとも１つのＬＴＥキャリア周波数が前記デバイス内の共存干渉により影響を受けたことを前記ネットワークエンティティに表示するステップは、前記少なくとも１つのＬＴＥキャリア周波数と関連した干渉情報を前記ネットワークエンティティに送信するステップを有することを特徴とする請求項７に記載の方法。
【請求項９】
前記干渉情報は、前記少なくとも１つのキャリアＬＴＥ周波数の測定対象識別子、干渉方向（ＤＯＩ）、及び時間ドメイン多重化アシスタンス情報を有することを特徴とする請求項８に記載の方法。
【請求項１０】
前記時間ドメイン多重化アシスタンス情報は、ハイブリッド自動再送要求（ＨＡＲＱ）ビットマップパターン、及び不連続受信（ＤＲＸ）パラメータを有することを特徴とする請求項９に記載の方法。
【請求項１１】
前記少なくとも１つのＬＴＥキャリア周波数と関連した干渉情報を前記ネットワークエンティティに送信するステップは、
デバイス内の共存干渉の方向を表示する値を前記干渉情報に設定することにより、前記ネットワークエンティティが前記干渉情報に設定された値に基づいて前記デバイス内の共存干渉の方向を確認するようにするステップと、
前記少なくとも１つのＬＴＥキャリア周波数と関連した干渉情報を前記ネットワークエンティティに送信するステップとを有することを特徴とする請求項８に記載の方法。
【請求項１２】
前記値は、‘ＥＵＴＲＡ’、‘他のもの'、及び‘両方’を含み、前記‘ＥＵＴＲＡ’値は、前記デバイス内の共存干渉のビクティムが前記少なくとも１つのＬＴＥキャリア周波数であることを表示し、前記‘他のもの’値は、前記デバイス内の共存干渉のビクティムが非ＬＴＥ周波数であることを表示し、前記‘両方’値は、前記少なくとも１つのＬＴＥキャリア周波数及び前記非ＬＴＥ周波数の両方が前記デバイス内の共存干渉のビクティムであることを表示することを特徴とする請求項１１に記載の方法。
【請求項１３】
前記少なくとも１つのＬＴＥキャリア周波数と関連した干渉情報を前記ネットワークエンティティに送信するステップは、
前記少なくとも１つのＬＴＥキャリア周波数と関連した干渉情報を前記ネットワークエンティティに送信した後に禁止タイマーを設定するステップと、
前記禁止タイマーの満了まで、前記少なくとも１つのＬＴＥキャリア周波数と関連した干渉情報を前記ネットワークエンティティに再送信することを遅延するステップとを有することを特徴とする請求項８に記載の方法。
【請求項１４】
前記ネットワークエンティティに送信される前に前記少なくとも１つのＬＴＥキャリア周波数と関連した干渉情報の変更を検出するステップと、
アップデートされた前記少なくとも１つのＬＴＥキャリア周波数と関連した干渉情報を前記ネットワークエンティティに送信するステップとをさらに有することを特徴とする請求項１に記載の方法。
【請求項１５】
前記少なくとも１つのＬＴＥキャリア周波数と関連したデバイス内の共存干渉がこれ以上存在しないことを検出するステップと、
前記少なくとも１つのＬＴＥキャリア周波数と関連したデバイス内の共存干渉の消去を前記ネットワークエンティティに表示するステップとをさらに有することを特徴とする請求項１に記載の方法。
【請求項１６】
前記デバイス内の共存干渉により影響を受けた前記測定対象に対応する少なくとも１つのＬＴＥキャリア周波数の設定の変更を検出するステップと、
前記測定対象に対応する少なくとも１つのＬＴＥキャリア周波数が前記デバイス内の共存干渉により影響を受けたことを前記ネットワークエンティティに表示するステップと、をさらに有することを特徴とする請求項１に記載の方法。
【請求項１７】
前記少なくとも１つのＬＴＥキャリア周波数が前記デバイス内の共存干渉により影響を受けたという表示に応じて拒絶メッセージを前記ネットワークエンティティから受信するステップをさらに有することを特徴とする請求項１に記載の方法。
【請求項１８】
前記複数のＬＴＥキャリア周波数の中の１つ以上の周波数と前記少なくとも１つの非ＬＴＥ周波数との間のデバイス内の共存干渉を検出するステップは、アイドルモードから接続モードへの動作を切り替える時に、前記複数のＬＴＥキャリア周波数の中の１つ以上の周波数と前記少なくとも１つの非ＬＴＥ周波数との間のデバイス内の共存干渉を検出するステップを有することを特徴とする請求項１に記載の方法。
【請求項１９】
前記複数のＬＴＥキャリア周波数の中の１つ以上の周波数と前記少なくとも１つの非ＬＴＥ周波数との間のデバイス内の共存干渉を検出するステップは、ソース基地局からターゲット基地局への成功した無線接続のハンドオーバ完了の後に、前記複数のＬＴＥキャリア周波数の中の１つ以上の周波数と前記少なくとも１つの非ＬＴＥ周波数との間のデバイス内の共存干渉を検出するステップを有することを特徴とする請求項１に記載の方法。
【請求項２０】
ＬＴＥ活性時間の間に、前記複数のキャリア周波数から選択されたＬＴＥキャリア周波数を示す前記設定された測定対象に対する無線リンクモニタリング測定、無線リソース管理測定、及びチャネル状態情報測定を実行することにより、デバイス内の共存干渉なしに測定が実行されるようにするステップをさらに有することを特徴とする請求項１に記載の方法。
【請求項２１】
ＬＴＥ非活性時間の間に、前記複数のキャリア周波数から選択されたＬＴＥキャリア周波数を示す前記設定された測定対象に対する無線リンクモニタリング測定、無線リソース管理測定、及びチャネル状態情報測定を実行することにより、デバイス内の共存干渉なしに測定が実行されるようにするステップをさらに有することを特徴とする請求項１に記載の方法。
【請求項２２】
前記ＬＴＥ非活性時間の間に、前記測定を実行するステップは、前記ＬＴＥ非活性時間の間に、前記複数のキャリア周波数から選択されたＬＴＥキャリア周波数を示す前記設定された測定対象に対する前記測定が実行される場合に、前記少なくとも１つの非ＬＴＥ周波数への送受信を拒絶するステップを有することを特徴とする請求項２１に記載の方法。
【請求項２３】
装置であって、
ＬＴＥモジュールと、
非ＬＴＥモジュールと、
前記ＬＴＥモジュール及び前記非ＬＴＥモジュールに通信的にカップリングされたコーディネータと、を有し、
前記コーディネータは、
前記ＬＴＥモジュールと関連した複数のキャリア周波数の中の１つ以上の周波数と前記非ＬＴＥモジュールと関連した少なくとも１つの周波数との間のデバイス内の共存干渉を検出し、
測定対象が設定された前記１つ以上のＬＴＥキャリア周波数の中の少なくとも１つを決定し、
前記少なくとも１つのＬＴＥキャリア周波数が前記デバイス内の共存干渉により影響を受けたことをネットワークエンティティに表示するように構成されることを特徴とする装置。
【請求項２４】
前記コーディネータは、前記少なくとも１つのＬＴＥキャリア周波数と関連した前記デバイス内の共存干渉を緩和させるための構成ソリューションを前記ネットワークエンティティから受信するように構成されることを特徴とする請求項２３に記載の装置。
【請求項２５】
前記コーディネータは、前記測定対象に対応する前記少なくとも１つのＬＴＥキャリア周波数と前記少なくとも１つの非ＬＴＥキャリア周波数との間のデバイス内の共存干渉の方向を決定するように構成されることを特徴とする請求項２３に記載の装置。
【請求項２６】
前記デバイス内の共存干渉の方向を決定するにあたりに、前記コーディネータは、前記少なくとも１つのＬＴＥキャリア周波数及び前記非ＬＴＥキャリア周波数から前記デバイス内の共存干渉のビクティム及びアグレッサを識別するように構成されることを特徴とする請求項２５に記載の装置。
【請求項２７】
前記少なくとも１つのＬＴＥキャリア周波数が前記デバイス内の共存干渉により影響を受けたことを前記ネットワークエンティティに表示するにあたりに、前記コーディネータは、前記少なくとも１つのＬＴＥキャリア周波数と関連した干渉情報を前記ＬＴＥモジュールを通して前記ネットワークエンティティに送信するように構成されることを特徴とする請求項２６に記載の装置。
【請求項２８】
前記少なくとも１つのＬＴＥキャリア周波数と関連した干渉情報を前記ネットワークエンティティに送信するにあたりに、前記コーディネータは、前記デバイス内の共存干渉の方向を表示する値を前記干渉情報に設定することにより、前記ネットワークエンティティが前記干渉情報に設定された値に基づいて前記デバイス内の共存干渉の方向を確認するようにし、また、前記少なくとも１つのＬＴＥキャリア周波数と関連した干渉情報を前記ネットワークエンティティに送信するように構成されることを特徴とする請求項２７に記載の装置。
【請求項２９】
前記少なくとも１つのＬＴＥキャリア周波数と関連した干渉情報を前記ネットワークエンティティに送信することは、
前記少なくとも１つのＬＴＥキャリア周波数と関連した干渉情報を前記ネットワークエンティティに送信した後に禁止タイマーを設定し、
前記禁止タイマーの満了まで、前記少なくとも１つのＬＴＥキャリア周波数と関連した干渉情報の前記ネットワークエンティティへの再送信を遅延することを含むことを特徴とする請求項２８に記載の装置。
【請求項３０】
前記コーディネータは、前記ネットワークエンティティに送信される前に前記少なくとも１つのＬＴＥキャリア周波数と関連した干渉情報の変更を検出し、また、アップデートされた前記少なくとも１つのＬＴＥキャリア周波数と関連した干渉情報を前記ネットワークエンティティに送信するように構成されることを特徴とする請求項２３に記載の装置。
【請求項３１】
前記コーディネータは、前記少なくとも１つのＬＴＥキャリア周波数と関連したデバイス内の共存干渉がこれ以上存在しないことを検出し、また、前記少なくとも１つのＬＴＥキャリア周波数と関連したデバイス内の共存干渉の消去を前記ネットワークエンティティに表示するように構成されることを特徴とする請求項２３に記載の装置。
【請求項３２】
前記コーディネータは、前記デバイス内の共存干渉により影響を受けた前記測定対象に対応する少なくとも１つのＬＴＥキャリア周波数の設定の変更を検出し、また、前記測定対象に対応する少なくとも１つのＬＴＥキャリア周波数が前記デバイス内の干渉により影響を受けたことを前記ネットワークエンティティに表示するように構成されることを特徴とする請求項２３に記載の装置。
【請求項３３】
前記コーディネータは、前記少なくとも１つのＬＴＥキャリア周波数が前記デバイス内の共存干渉により影響を受けたという表示に応じて拒絶メッセージを前記ネットワークエンティティから受信するように構成されることを特徴とする請求項２３に記載の装置。
【請求項３４】
前記複数のＬＴＥキャリア周波数の中の１つ以上の周波数と前記少なくとも１つの非ＬＴＥ周波数間のデバイス内の共存干渉を検出するにあたりに、前記コーディネータは、アイドルモードから接続モードへの動作を切り替える時に、前記複数のＬＴＥキャリア周波数の中の１つ以上の周波数と前記少なくとも１つの非ＬＴＥ周波数との間のデバイス内の共存干渉を検出するように構成されることを特徴とする請求項２３に記載の装置。
【請求項３５】
前記複数のＬＴＥキャリア周波数の中の１つ以上の周波数と前記少なくとも１つの非ＬＴＥ周波数との間のデバイス内の共存干渉を検出するにあたりに、前記コーディネータは、ソース基地局からターゲット基地局への成功した無線接続のハンドオーバ完了の後に、前記複数のＬＴＥキャリア周波数の中の１つ以上の周波数と前記少なくとも１つの非ＬＴＥ周波数との間のデバイス内の共存干渉を検出するように構成されることを特徴とする請求項２３に記載の装置。
【請求項３６】
前記コーディネータは、ＬＴＥ活性時間の間に、前記複数のキャリア周波数から選択されたＬＴＥキャリア周波数を示す前記設定された測定対象に対する無線リンクモニタリング測定、無線リソース管理測定、及びチャネル状態情報測定を実行することにより、デバイス内の共存干渉なしに測定が実行されるように構成されることを特徴とする請求項２３に記載の装置。
【請求項３７】
前記コーディネータは、ＬＴＥ非活性時間の間に、前記複数のキャリア周波数から選択されたＬＴＥキャリア周波数を示す前記設定された測定対象に対する無線リンクモニタリング測定、無線リソース管理測定、及びチャネル状態情報測定を実行することにより、デバイス内の共存干渉なしに測定が実行されるように構成されることを特徴とする請求項２３に記載の装置。
【請求項３８】
システムであって、
ネットワークエンティティと、
通信的にカップリングされたユーザ端末とを有し、
前記ユーザ端末は、
ロングタームエボルーション（ＬＴＥ）無線技術と関連した複数のキャリア周波数の中の１つ以上の周波数と非ＬＴＥ無線技術と関連した少なくとも１つの周波数との間のデバイス内の共存干渉を検出し、
測定対象が設定された前記１つ以上のＬＴＥキャリア周波数の中の少なくとも１つを決定し、
前記少なくとも１つのＬＴＥキャリア周波数と関連した干渉情報をネットワークエンティティに送信するように構成されることを特徴とするシステム。
【請求項３９】
前記干渉情報は、前記少なくとも１つのキャリアＬＴＥ周波数の測定対象識別子、干渉方向（ＤＯＩ）、及び時間ドメイン多重化アシスタンス情報を有することを特徴とする請求項３８に記載のシステム。
【請求項４０】
前記ネットワークエンティティは、前記少なくとも１つのＬＴＥキャリア周波数と関連した前記デバイス内の共存干渉を緩和させるための構成ソリューションを前記ユーザ端末に提供するように構成されることを特徴とする請求項３８に記載のシステム。
【請求項４１】
前記ネットワークエンティティは、前記少なくとも１つのＬＴＥキャリア周波数が前記デバイス内の共存干渉により影響を受けたという表示に応じて拒絶メッセージを前記ネットワークエンティティから送信するように構成されることを特徴とする請求項３８に記載のシステム。
【請求項４２】
前記ユーザ端末は、前記測定対象に対応する前記少なくとも１つのＬＴＥキャリア周波数と前記少なくとも１つの非ＬＴＥキャリア周波数との間のデバイス内の共存干渉の方向を決定するように構成されることを特徴とする請求項３８に記載のシステム。
【請求項４３】
前記デバイス内の共存干渉の方向を決定するにあたりに、前記ユーザ端末は、前記少なくとも１つのＬＴＥキャリア周波数及び前記非ＬＴＥキャリア周波数から前記デバイス内の共存干渉のビクティム及びアグレッサを識別し、前記デバイス内の共存干渉の方向を前記干渉情報に表示する値を設定するように構成されることを特徴とする請求項４２に記載のシステム。
【請求項４４】
前記少なくとも１つのＬＴＥキャリア周波数と関連した干渉情報を前記ネットワークエンティティに送信することは、前記デバイス内の共存干渉の方向を前記干渉情報に表示する値を設定するにあたりに、前記ネットワークエンティティは、前記干渉情報に設定された値に基づいて前記デバイス内の共存干渉の方向を確認するように構成されることを特徴とする請求項４３に記載のシステム。
【請求項４５】
前記値は、‘ＥＵＴＲＡ’、‘他のもの'、及び‘両方’を含み、前記‘ＥＵＴＲＡ’値は、前記デバイス内の共存干渉のビクティムが前記少なくとも１つのＬＴＥキャリア周波数であることを表示し、前記‘他のもの’値は、前記デバイス内の共存干渉のビクティムが非ＬＴＥ周波数であることを表示し、前記‘両方’値は、前記少なくとも１つのＬＴＥキャリア周波数及び前記非ＬＴＥ周波数の両方が前記デバイス内の共存干渉のビクティムであることを表示することを特徴とする請求項４４に記載のシステム。
【請求項４６】
前記ユーザ端末は、前記ネットワークエンティティに送信される前に、前記少なくとも１つのＬＴＥキャリア周波数と関連した干渉情報の変更を検出し、また、アップデートされた前記少なくとも１つのＬＴＥキャリア周波数と関連した干渉情報を前記ネットワークエンティティに送信するように構成されることを特徴とする請求項３８に記載のシステム。
【請求項４７】
前記ユーザ端末は、前記少なくとも１つのＬＴＥキャリア周波数と関連したデバイス内の共存干渉がこれ以上存在しないことを検出し、また、前記少なくとも１つのＬＴＥキャリア周波数と関連したデバイス内の共存干渉の消去を前記ネットワークエンティティに表示するように構成されることを特徴とする請求項３８に記載のシステム。
【請求項４８】
前記ユーザ端末は、前記デバイス内の共存干渉により影響を受けた前記測定対象に対応する少なくとも１つのＬＴＥキャリア周波数の設定の変更を検出し、また、前記測定対象に対応する少なくとも１つのＬＴＥキャリア周波数が前記デバイス内の共存干渉により影響を受けたことを前記ネットワークエンティティに表示するように構成されることを特徴とする請求項３８に記載のシステム。
【請求項４９】
前記ユーザ端末は、ＬＴＥ活性時間の間に、前記複数のキャリア周波数から選択されたＬＴＥキャリア周波数を示す前記設定された測定対象に対する無線リンクモニタリング測定、無線リソース管理測定、及びチャネル状態情報測定を実行することにより、前記デバイス内の共存干渉なしに測定が実行されるように構成されることを特徴とする請求項３８に記載のシステム。
【請求項５０】
前記ユーザ端末は、ＬＴＥ非活性時間の間に、前記複数のキャリア周波数から選択されたＬＴＥキャリア周波数を示す前記設定された測定対象に対する無線リンクモニタリング測定、無線リソース管理測定、及びチャネル状態情報測定を実行することにより、前記デバイス内の共存干渉なしに測定が実行されるように構成されることを特徴とする請求項３８に記載のシステム。
【発明の詳細な説明】
【技術分野】
【０００１】
本発明は、無線ネットワークシステムで動作するユーザ端末内でのデバイス内の共存干渉（in-device coexistence interference）を緩和する方法及びシステムに関する。より具体的に、本発明は、複数の無線を同時に動作させるユーザ端末でのデバイス内の共存干渉に対するソリューション（solution）を提供する。
【背景技術】
【０００２】
複数の無線技術を使用するユーザ端末を通して複数のサービスを提供することは、現代の通信システムの長所の中の１つである。例えば、ユーザ端末は、ロングタームエボルーション（Long Term Evolution：ＬＴＥ）無線、工業用、科学用、及び医療用（Industrial Scientific and Medical：ＩＳＭ）無線、及び全地球航法衛星システム（Global Navigation and Satellite System：ＧＮＳＳ）受信器のような複数の通信技術をサポートできる。ＬＴＥは、ネットワークにおいて、ユーザ端末と他のエンティティとの間の高い速度及び効率的なデータ送信のための第４世代の通信技術である。ＩＳＭ無線は、ＩＳＭ帯域で動作するＷｉＦｉブルートゥースなどのような技術を含む。ＧＮＳＳは、地理的な位置の識別のために使用される全地球測位サービス（Global Positioning Services：ＧＰＳ）のような技術を含む。ユーザ端末は、異なるサービスのためのそれらのそれぞれの周波数帯域でこのような技術を同時に動作させるようにすることができる。
【０００３】
同一のユーザ端末内で同時に共存し動作するこのような複数の無線技術の課題の中の１つは、隣接周波数帯域内の他の無線送信による１つの無線周波数帯域内での受信干渉である。ユーザ端末で複数の無線の同時送受信によるこの干渉問題は、デバイス内の共存（in-device coexistence：ＩＤＣ）干渉問題と呼ばれる。
【発明の概要】
【課題を解決するための手段】
【０００４】
上記のような目的を達成するために、本発明の一態様によれば、ユーザ端末でのデバイス内の共存干渉を処理する方法を提供する。上記方法は、ロングタームエボルーション（Long Term Evolution：ＬＴＥ）無線技術の複数のキャリア周波数の中の１つ以上の周波数と非ＬＴＥ無線技術の少なくとも１つの周波数との間のデバイス内の共存干渉を検出するステップと、測定対象が設定された上記１つ以上のＬＴＥキャリア周波数の中の少なくとも１つを決定するステップと、上記少なくとも１つのＬＴＥキャリア周波数が上記デバイス内の共存干渉により影響を受けていることをネットワークエンティティに表示するステップと、を有することを特徴とする。
【０００５】
本発明の他の態様によれば、デバイス内の共存干渉を処理するユーザ端末装置を提供する。上記装置は、ＬＴＥモジュールと、非ＬＴＥモジュールと、上記ＬＴＥモジュール及び上記非ＬＴＥモジュールに通信的にカップリングされたコーディネータとを有し、上記コーディネータは、上記ＬＴＥモジュールに関連した複数のキャリア周波数の中の１つ以上の周波数と上記非ＬＴＥモジュールに関連した少なくとも１つの周波数との間のデバイス内の共存干渉を検出し、測定対象が設定された上記１つ以上のＬＴＥキャリア周波数の中の少なくとも１つを決定し、また、上記少なくとも１つのＬＴＥキャリア周波数が上記デバイス内の共存干渉により影響を受けていることをネットワークエンティティに表示するように構成されることを特徴とする。
【図面の簡単な説明】
【０００６】
【図１】本発明の一実施形態によるユーザ端末でのロングタームエボルーション（Long Term Evolution；ＬＴＥ）モジュールと非ＬＴＥモジュール間のデバイス内の共存干渉を処理する無線環境システムの構成を示すブロック図である。
【図２】本発明の一実施形態によるユーザ端末でのデバイス内の共存干渉を処理する例示的な方法を示すプロセスフローチャートである。
【図３】ＬＴＥ及び非ＬＴＥ動作が同時に実行される場合におけるユーザ端末での異なる周波数の干渉シナリオを示す概略図である。
【図４】本発明の一実施形態によるユーザ端末でのデバイス内の共存干渉の存在を決定するように設定されたトリガー基準の中の１つを示す概略図である。
【図５】本発明の一実施形態によるユーザ端末でのデバイス内の共存干渉の存在を決定するように設定された他のトリガー基準を示す概略図である。
【図６Ａ】本発明の一実施形態によるユーザ端末でのデバイス内の共存干渉を報告する細部方法を示すフローチャートである。
【図６Ｂ】本発明の一実施形態によるユーザ端末でのデバイス内の共存干渉を緩和するための周波数分割多重化（ＦＤＭ）ソリューションを構成する方法を示すフローチャートである。
【図６Ｃ】本発明の一実施形態によるユーザ端末でのデバイス内の共存干渉を緩和するための時分割多重化（ＴＤＭ）ソリューションを構成する方法を示すフローチャートである。
【図６Ｄ】本発明の他の実施形態によるユーザ端末でのデバイス内の共存干渉を報告する方法を示すフローチャートである。
【図６Ｅ】本発明のもう１つの実施形態によるユーザ端末でのデバイス内の共存干渉の状態の変化を報告する方法を示すフローチャートである。
【図７Ａ】本発明の一実施形態によるユーザ端末でのデバイス内の共存干渉を緩和するソリューションを構成する方法を示すフローチャートである。
【図７Ｂ】本発明の他の実施形態によるユーザ端末でのデバイス内の共存干渉を緩和するソリューションを構成する方法を示すフローチャートである。
【図７Ｃ】本発明のもう１つの実施形態によるユーザ端末でのデバイス内の共存干渉を緩和するソリューションを構成する方法を示すフローチャートである。
【図７Ｄ】本発明のもう１つの実施形態によるユーザ端末でのデバイス内の共存干渉を緩和するソリューションを構成する方法を示すフローチャートである。
【図７Ｅ】本発明のもう１つの実施形態によるユーザ端末でのデバイス内の共存干渉を緩和するソリューションを構成する方法を示すフローチャートである。
【図７Ｆ】本発明のもう１つの実施形態によるユーザ端末でのデバイス内の共存干渉を緩和するソリューションを構成する方法を示すフローチャートである。
【図８Ａ】本発明のもう１つの実施形態によるソースネットワークエンティティからターゲットネットワークエンティティへの無線接続のハンドオーバの時におけるユーザ端末の動作を示すフローチャートである。
【図８Ｂ】本発明のもう１つの実施形態によるソースネットワークエンティティからターゲットネットワークエンティティへの無線接続のハンドオーバの時におけるユーザ端末の他の動作を示すフローチャートである。
【図８Ｃ】本発明のもう１つの実施形態によるソースネットワークエンティティからターゲットネットワークエンティティへの無線接続のハンドオーバの時におけるユーザ端末のもう１つの動作を示すフローチャートである。
【図９】本発明の一実施形態によるユーザ端末の構成を示すブロック図である。
【図１０】本発明の一実施形態によるネットワークエンティティの構成を示すブロック図である。
【発明を実施するための形態】
【０００７】
ここに説明される図面は、例示目的だけのためのものであり、いかなる方式でも本発明の範囲を限定することを意図しない。
【０００８】
本発明は、ユーザ端末でのデバイス内の共存干渉（in-device co-existence interference）を処理する方法及びシステムを提供する。本発明の実施形態についての下記の具体的な説明では、本明細書の一部を構成する添付の図面に対する参照がなされ、これは、本発明が実行されることができる具体的な実施形態を示す方式により示されている。これらの実施形態は、当業者が本発明を実施できるように十分に具体的に記述されており、また、他の実施形態が使用されてもよく、本発明の範囲を逸脱することなしに変更がなされることができることも分かるであろう。したがって、下記の詳細な説明が本発明を限定する意味で解釈されてはならず、本発明の範囲は、添付された特許請求の範囲のみにより規定される。
【０００９】
本明細書において、用語‘無線周波数干渉’、‘デバイス内の共存干渉’、及び‘干渉'は、明細書の全般にわたって交互に使用される。
【００１０】
図１は、本発明の一実施形態による無線オペレーション環境１００の構成を示すブロック図であり、ここで、各周波数帯域は、対応する無線サービスに対して専用である。無線運営環境１００は、ネットワークエンティティ１０４（例えば、ｅＮＢ（evolved node B））、及びロングタームエボルーション（Long Term Evolution：ＬＴＥ）技術に基づいて無線エアインターフェース（wireless air interface）１０６を通して接続されるＵＥ（User Equipment）１０２を含む。ＵＥ１０２は、ＬＴＥモジュール１０８、非ＬＴＥモジュール１１２、及びコーディネータ１１０を含む。非ＬＴＥモジュール１１２は、工業用、科学用、及び医療用（Industrial Scientific and Medical：ＩＳＭ）周波数帯域内でＷｉＦｉ又はブルートゥースのような近距離無線サービスを提供するのに使用され得る。あるいは、非ＬＴＥモジュールは、全地球測位システム（Global Navigation Satellite System：ＧＮＳＳ）受信器を使用する地理的位置識別及び測位サービスを提供するために使用され得る。ＬＴＥモジュール１０８は、ＬＴＥキャリア周波数上で動作され、非ＬＴＥモジュール１１２は、非ＬＴＥ周波数（例えば、ＩＳＭ帯域）上で動作される。
【００１１】
一実施形態に従って、コーディネータ１１０は、図２に示すステップを実行することにより測定対象と関連したＬＴＥキャリア周波数と非ＬＴＥキャリア周波数との間のデバイス内の共存干渉を処理するように構成される。
【００１２】
図２は、本発明の一実施形態によるユーザ端末でのデバイス内の共存干渉を処理する例示的な方法を示すプロセスフローチャート２００である。ＬＴＥモジュール１０８は、サービング（serving）又は非サービング（non-serving）周波数間のＬＴＥキャリア周波数を示す１つ以上の測定対象に対する測定を実行するように構成され、非ＬＴＥモジュール１１２は、非ＬＴＥ周波数上で動作するように構成されることを考慮する。ＬＴＥモジュール１０８及び非ＬＴＥモジュール１１２の両方がそれらのそれぞれの周波数上で同時に動作する場合に、デバイス内の共存干渉が発生し得る。測定対象に対応するキャリア周波数と非ＬＴＥ周波数との間のデバイス内の共存干渉を処理するプロセスは、次のステップ２０２乃至２１４で記述される。
【００１３】
ステップ２０１において、ネットワークエンティティ１０４は、測定対象に対応するキャリア周波数と非ＬＴＥ周波数との間のデバイス内の共存干渉を報告するようにユーザ端末（ＵＥ）１０２を設定する。一実施形態において、ユーザ端末１０２は、接続モード（connected mode）の動作の間にいつでもデバイス内の共存干渉の発生を報告するように構成される。他の実施形態において、ユーザ端末１０２は、アイドルモード（idle mode）から接続モードへの動作を切り替える時にデバイス内の共存干渉の発生を報告するように構成される。もう１つの実施形態において、ユーザ端末１０２は、ソース基地局からターゲット基地局への無線接続の成功したハンドオーバの完了の後に、デバイス内の共存干渉を報告するように構成される。ステップ２０２において、ユーザ端末１０２は、ユーザ端末１０２の同時動作の間に１つ又はいくつかのＬＴＥキャリア周波数と非ＬＴＥ周波数との間のデバイス内の共存干渉の発生を検出する。ユーザ端末１０２でのデバイス内の共存干渉の存在を決定する条件が図４及び５に図示されている。
【００１４】
ステップ２０４において、ユーザ端末１０２は、測定対象が設定されたキャリア周波数の中で、デバイス内の共存干渉を受けている１つ以上のＬＴＥキャリア周波数を決定する。ステップ２０６において、ユーザ端末１０２は、この決定されたＬＴＥキャリア周波数と非ＬＴＥ周波数との間のデバイス内の共存干渉の方向を決定する。いくつかの実施形態において、ユーザ端末１０２は、デバイス内の共存干渉のビクティム（被干渉）とアグレッサ（与干渉）とを識別する。これらの実施形態において、ＵＥ１０２は、干渉情報の値を設定することによりデバイス内の共存干渉の方向をネットワークエンティティ１０４に表示する。この値は、‘ＥＵＴＲＡ’‘他のもの（other）'、及び‘両方（both）'であり得る。例えば、‘ＥＵＴＲＡ'値は、デバイス内の共存干渉のビクティムがＬＴＥキャリア周波数であることを示し、‘他のもの'の値は、デバイス内の共存干渉のビクティムが非ＬＴＥ周波数であることを示し、‘両方’の値は、ＬＴＥキャリア周波数及び非ＬＴＥ周波数のすべてがデバイス内の共存干渉のビクティムであることを示す。この設定された値に基づいて、ネットワークエンティティ１０４は、デバイス内の共存干渉の方向を確認する。
【００１５】
デバイス内の共存干渉を識別する技術は、当業者によく知られている。ステップ２０８において、ユーザ端末１０２は、任意の決定されたＬＴＥキャリア周波数と非ＬＴＥ周波数との間のデバイス内の共存干渉が自然に緩和されることができるか否かを決定する。
【００１６】
デバイス内の共存干渉が緩和されることができない場合に、ステップ２１０において、ユーザ端末１０２は、干渉問題をネットワークエンティティ１０４に報告する。ネットワークエンティティ１０４に対するデバイス内の共存干渉の表示は、ＬＴＥキャリア周波数に関連した情報を含む。例えば、ユーザ端末１０２は、少なくとも１つのキャリア周波数の測定対象識別子、干渉の方向（direction of interference：ＤＯＩ）、ＢＴ（ＶＯＩＰ）、マルチメディアサービス（ＢＴ）、ＷｉＦｉルータ、ＷｉＦｉオフロード（offload）、ＧＮＳＳ、及び時間ドメイン多重化アシスタンス情報（time domain multiplexing (TDM) assistance information）のようなデバイス内の共存干渉が発生する使用ケースシナリオ（use case scenario）を報告する。時間ドメイン多重化（ＴＤＭ）アシスタンス情報は、ハイブリッド自動再送要求（Hybrid Automatic Repeat Request：ＨＡＲＱ）ビットマップパターン又は不連続受信（Discontinuous Reception：ＤＲＸ）パラメータを含み得る。
【００１７】
Ｗｉ−Ｆｉオフロードの場合（Ｗｉ−Ｆｉビーコン受信）において、１つのギャップパターン及び関連情報もＴＤＭアシスタンスデータの一部としてビーコン受信のために特別に送信される。ＷｉＦｉのためのギャップパターンは、ＬＴＥ  ＳＦＮ番号、最近のビーコンが（表示を送信する時に）発生した位置、ビーコン周期、及びネットワークエンティティ１０４に対して予想されるビーコン受信近傍の保護期間（guard period）を提供することにより処理されることができる。アクセスポイント（access point）によるビーコン送信で要求されるこの情報は、媒体が無料でなかったとの理由により数ミリ秒の間に遅延することができる。この情報の受信の時に、ネットワークエンティティ１０４は、予想されたビーコン受信時間及びその近傍の保護期間に対応するサブフレームでＬＴＥアップリンクデータをスケジューリングしないようにしようとすることができる。これは、ＵＥ１０２が何の問題もなしにビーコンを受信することができることを保証する。
【００１８】
ＵＥ１０２は、ＷｉＦｉビーコン処理のためにこのギャップパターンを継続して使用する。しかしながら、クロックミスアライメント（clock misalignment）又は他の要因により引き起こされる一部の時間ドリフト（drift）のために、一定の期間にわたって、ビーコン受信予想時間は、交渉されたビーコン受信ギャップパターンを外れることがある。ＵＥ１０２は、このような状況を経験するたびに、その状況をトリガー基準（trigger criterion）として使用してデバイス内の共存干渉を通知する表示をネットワークエンティティ１０４に送信する。この表示は、ＦＤＭアシスタンスデータ及び／又は正規のＷｉＦｉデータ動作のためのＴＤＭアシスタンスデータ及び／又はギャップパターン及び特にＷｉＦｉにより最後のビーコン受信がＬＴＥ  ＳＦＮ（Super Frame Number）のための関連パラメータを処理するビーコンを含むことができる。しかしながら、携帯用ルータの場合（Ｗｉ−Ｆｉビーコン送信）には、何の特別なギャップパターンも必要としない。ＵＥ１０２がアクセスポイントの役割をすることに従って、ＵＥ１０２は、最も近接したＬＴＥアップリンクへのビーコン送信を遅延させることができ、あるいは、ＵＥ１０２がＬＴＥ  ＤＬに属するビーコン送信を行うべき場合でも、ＵＥ１０２は，ビーコン送信持続時間が１つ又は２つのＬＴＥ  ＯＦＤＭシンボルに対応する数マイクロ秒オーダー（order）であるものと仮定してビーコンを送信する。したがって、１つ又は２つのＯＦＤＭシンボルが損傷されても、チャネル符号化及びＨＡＲＱ手順は、データを復旧するのに役立つものであろう。
【００１９】
幾つかの実施形態において、ユーザ端末１０２は、ＬＴＥキャリア周波数と関連した干渉情報をネットワークエンティティ１０４に報告した後に禁止タイマー（prohibit timer）を設定する。この実施形態において、ユーザ端末１０２は、禁止タイマーの満了まで、ネットワークエンティティ１０４に対するＬＴＥキャリア周波数と関連した、同一であるか又は異なる干渉情報の再送信を遅延する。例えば、ユーザ端末１０２が干渉情報をネットワークエンティティ１０４に送信し、ネットワークエンティティ１０４から応答を受信しない場合に、ユーザ端末１０２は、ネットワークエンティティ１０４からの応答のために禁止タイマーの満了まで待機し、禁止タイマーの満了の時に同一であるか又は異なる干渉情報をネットワークエンティティ１０４に再送信する。
【００２０】
ステップ２１２において、ネットワークエンティティ１０４は、干渉情報に基づいてＬＴＥキャリア周波数と関連したデバイス内の共存干渉を緩和するソリューション（solution）を決定する。ステップ２１４において、ネットワークエンティティ１０４は、ユーザ端末１０２に対するデバイス内の共存干渉を緩和するように決定されたソリューションを構成する。幾つかの実施形態において、ネットワークエンティティ１０４は、無線リンクモニタリング（radio link monitoring：ＲＬＭ）測定に対する測定制限パターン、移動性に対する無線リソース管理（radio resource management：ＲＲＭ）測定、及びチャネル状態情報（channel state information：ＣＳＩ）測定を構成する。他の実施形態において、ユーザ端末１０２は、この測定を制限する測定パターン（ら）を自ら導出することにより、それらがデバイス内部の干渉がないようにし、また、それぞれの後続ＲＬＦ及びハンドオーバ手順に使用されるようにする。
【００２１】
このソリューションに基づいて、一実施形態において、ユーザ端末１０２は、この設定された測定対象に対する測定をＬＴＥ活性時間の間に実行することにより、デバイス内の共存干渉なしに測定が実行されるようにする。他の実施形態において、ユーザ端末１０２は、この設定された測定対象に対する測定をＬＴＥ非活性時間の間に実行することにより、デバイス内の共存干渉なしに測定が実行されるようにする。もう１つの実施形態において、ユーザ端末１０２は、非ＬＴＥ周波数に対する送信及び受信をＬＴＥ非活性時間の間に実行する。この実施形態において、ユーザ端末１０２は、測定がこの設定された測定対象と関連したＬＴＥ周波数でＬＴＥ非活性時間の間に実行される場合に、非ＬＴＥ周波数に対する送信を拒否する。
【００２２】
あるいは、ネットワークエンティティ１０４は、測定対象と関連したＬＴＥキャリア周波数がデバイス内の共存干渉により影響を受けているＵＥ１０２により送信される表示に対応して拒絶メッセージを送信することもある。
【００２３】
図３は、ＬＴＥ及び非ＬＴＥ動作が同時に実行される場合におけるユーザ端末１０２での異なる周波数の干渉シナリオを示す概略図３００である。干渉シナリオに基づいて、ユーザ端末１０２は、干渉方向（ＤＯＩ）を決定できる。ＬＴＥモジュール１０８及び非ＬＴＥモジュール１１２は、それぞれの測定対象及び非ＬＴＥキャリア周波数３０６に対応するＬＴＥキャリア周波数３１０を通して同時に送信及び受信を行うものと仮定する。ＬＴＥキャリア周波数３１０と非ＬＴＥ周波数３０６との間の周波数分離は、約８６．５ＭＨｚであることをわかる。周波数分離が５０ＭＨｚ以上であるために、ＬＴＥキャリア周波数３１０に対するＬＴＥモジュール１０８及び非ＬＴＥ周波数３０６に対する非ＬＴＥモジュール１１２の同時動作の間に、ＬＴＥ周波数３１０と非ＬＴＥ周波数３０６とは相互に干渉しない。
【００２４】
しかしながら、ＬＴＥモジュール１０８の動作がＬＴＥキャリア周波数３０４に対する測定対象で設定される場合に、ＬＴＥキャリア周波数３０４に対するＬＴＥモジュール１０８の同時動作及び非ＬＴＥ周波数３０６に対する非ＬＴＥモジュール１１２は、ＬＴＥキャリア周波数３０４と非ＬＴＥキャリア周波数３０６との間の干渉を引き起こす。この場合に、ＬＴＥ周波数及び非ＬＴＥ周波数３０６のすべては、デバイス内の共存干渉のビクティムである。非ＬＴＥ周波数３０６で動作される非ＬＴＥモジュール１１２は、ＬＴＥキャリア周波数３０８でＬＴＥモジュール１０８の送信を妨害し、これにより、非ＬＴＥ周波数３０６がデバイス内の共存干渉のビクティムであるデバイス内の共存干渉シナリオにつながる。したがって、ユーザ端末１０２は、干渉シナリオに基づいてデバイス内の共存干渉の方向を決定し、デバイス内の共存干渉のビクティムを識別する。例えば、ＵＥ１０２は、干渉情報での値を設定することによりネットワークエンティティ１０４に対する干渉の方向を表示し得る。この値は、‘ＥＵＴＲＡ’、‘他のもの’、及び‘両方’を含み、ここで、‘ＥＵＴＲＡ'値は、デバイス内の共存干渉のビクティムがＬＴＥ無線技術であることを意味し、‘他のもの’の値は、デバイス内の共存干渉のビクティムが非ＬＴＥ無線技術であることを意味し、‘両方’の値は、ＬＴＥ無線技術及び非ＬＴＥ無線技術がデバイス内の共存干渉のビクティムであることを意味する。したがって、ネットワークエンティティ１０４は、干渉情報で設定された値に基づいて干渉の方向を確認する。
【００２５】
図４は、本発明の一実施形態によるユーザ端末１０２でのデバイス内の共存干渉の存在を決定する条件の中の１つを示す概略図４００である。特に、図４は、ブロック４０２が規定された時間範囲又はウィンドウでＩＳＭ動作とＬＴＥ動作との間の衝突を示すグラフを示す。例えば、ウィンドウは、基準がそれ以上に満足されるべき移動ウィンドウであり得る。この基準は、時間ウィンドウ４０６内の衝突のしきい個数を含む。この基準が満足する場合に、インスタンス（instance）は、デバイス内の共存干渉をネットワークエンティティ１０４に報告する１つのトリガーとして取り扱われることができる。一実施形態において、時間ウィンドウ４０６は、ネットワークエンティティ１０４とユーザ端末１０２との間の交渉の中に決定される。例えば、図４に示すように、衝突の回数は、６として表示されている。しかしながら、任意の個数の衝突は、しきい値として割り当てられることができる。ユーザ端末１０２からのこれらの報告に基づいて、ネットワークエンティティ１０４は、具現従属的時間間隔（implementation dependent time interval）を観察することによりデバイス内の共存干渉がＬＴＥモジュール１０８又は非ＬＴＥモジュール１１２に対して同時に動作することが困難であるか否かを決定できる。
【００２６】
他の実施形態において、干渉の存在を決定する他の条件が提供される。他の条件は、複数のサイクリックリダンダンシーチェック（Cyclic Redundancy Check：ＣＲＣ）エラー、受信器の感度低下、ＬＴＥ  Ｔｘ感度低下ＩＳＭ受信、及びＩＳＭ送信感度低下ＬＴＥ受信の中の１つを含む。例えば、感度低下に対するしきい値を定義し、時間ウィンドウ上で発生するこのような感度低下の個数を測定し、ＬＴＥモジュール１０８及び非ＬＴＥモジュール１１２の動作条件をネットワークエンティティ１０４に提供することにより、感度低下トリガー基準が評価されることができる。ウィンドウ内の固定された感度低下の個数より多く存在する場合に、トリガー条件が満足されるものと知られている。
【００２７】
動作条件は、ＬＴＥ動作に対する非ＬＴＥ動作周波数及び／又は最も近接した周波数、ＬＴＥ動作周波数、ＬＴＥ送受信電力情報、非ＬＴＥ送受信電力情報、無線周波数フィルターマスク詳細、及びデバイス内の共存干渉がＢＴ（ＶＯＩＰ）、ＢＴ（マルチメディアサービス）、ＷｉＦｉルータ、ＷｉＦｉオフロード、及びＧＮＳＳのように検出される使用シナリオを含む。一実施形態において、このような情報及び動作条件に基づいて、ネットワークエンティティ１０４は、ＵＥ１０２が測定対象と関連したＬＴＥキャリア周波数が影響を受けたことを示す場合に、デバイス内の共存ソリューションがＵＥ１０２に提供されるものであるか否かを決定できる。また、このような情報及び動作条件は、サービングセル（例えば、ネットワークエンティティ１０４）及び隣接セル（例えば、予想ネットワークエンティティ１０４）に対する測定報告に統合されるか、又は新たな報告を用いて統合されることができる。
【００２８】
図５は、本発明の一実施形態によるＵＥ１０２でのデバイス内の共存干渉の存在を決定する他の条件を示す概略図である。デバイス内の共存干渉の存在を決定するための条件は、受信信号強度指示子（Received Signal Strength Indicator：ＲＳＳＩ）の変動に基づいている。ＲＳＳＩは、測定帯域幅内の直交周波数領域多重化（Orthogonal Frequency Domain Multiplex：ＯＦＤＭ）シンボルで観測される受信電力（ワットで）を含む。ＯＦＤＭシンボルは、図５における参照符号５１２を用いて示されている。図５において、ＲＳＳＩ変動は、５０６として示され、ＲＳＳＩしきい値は、５０４として示される。また、ＲＳＳＩしきい値５０４を超過するＯＦＤＭシンボルのＲＳＳＩ変動５０６は、図５における５０２として示される。
【００２９】
測定帯域幅は、この影響を受けた帯域幅の部分又はこの動作帯域の全体のスパニング（spanning）に基づいてＵＥ１０２により決定される。また、測定された帯域幅は、有限又は無限の時間での無線周波数スペクトルのブロック、リソースブロックの‘Ｎ’数で決定される。また、有限の時間は、スロット５０８としても呼ばれる。測定帯域幅のＲＳＳＩ測定は、デバイス内の共存干渉、同一のチャネルサービング及び非サービングセルからの干渉、隣接チャネル干渉、及び熱雑音などを含む。幾つかのスロット５０８を含む時間ウィンドウ５１０において、ＲＳＳＩは、すべてのＯＦＤＭシンボルで測定され、ＲＳＳＩ変動がＲＳＳＩしきい値５０４以上である場合には、対応するシンボルのＲＳＳＩは、図５での５０２として表示されたデバイス内の共存干渉により影響を受けるものと知られている。
【００３０】
また、図５は、ＵＥ１０２でのデバイス内の無線周波数干渉の影響を示す。影響を受けたシンボル５０２は、ＯＦＤＭシンボルをモニタリングする間の時間−スロット５０８に対するデバイス内の共存干渉の存在を示す。さらに、ＵＥ１０２及びネットワークエンティティ１０４は、予め定められたＲＳＳＩしきい値５０４を有し得る。ＲＳＳＩの変動は、参照符号５０６を使用して示される。本実施形態において、サンプル時間ウィンドウ５１０は、デバイス内の共存干渉の存在を決定するために提供される。したがって、ＲＳＳＩがＲＳＳＩしきい値５０４以上に変動する度に、このようなＯＦＤＭシンボル５０２は、デバイス内の共存干渉により影響を受けるものと知られている。デバイス内の共存干渉により影響を受けたＯＦＤＭシンボルの数がしきい回数を超える場合に、ユーザ端末１０２は、デバイス内の共存干渉表示をネットワークエンティティ１０４に報告する。
【００３１】
図６Ａは、本発明の一実施形態によるデバイス内の共存干渉を報告する詳細な方法を示すフローチャート６００ａである。ステップ６０２において、ＵＥ１０２及びネットワークエンティティ１０４は、デバイス内の共存干渉を緩和するケーパビリティを交換する。ステップ６０４において、ネットワークエンティティ１０４は、ＵＥ１０２でデバイス内の共存干渉の検出をするための基準又は条件を設定する。ステップ６０６において、ＵＥ１０２は、非ＬＴＥ帯域３０６の動作の開始を検出する。例えば、非ＬＴＥ帯域３０６は、ＩＳＭ帯域３０６であり得る。ステップ６０８において、ＵＥ１０２は、非ＬＴＥ帯域３０６が図３に示した３０４のようにＬＴＥ帯域と干渉を起こすか否かを決定する。その後に、ＵＥ１０２は、ステップ６１０において、干渉情報をネットワークエンティティ１０４に報告する。図６Ｂ及び図６Ｃに示すように、ステップ６１２において、ネットワークエンティティ１０４は、デバイス内の共存干渉を緩和するためのＴＤＭソリューション又はＦＤＭソリューションの中の１つでＵＥを設定する。
【００３２】
図６Ｂは、本発明の一実施形態によるＵＥ１０２のデバイス内の共存干渉を緩和するための周波数分割多重化（Frequency Division Multiplexing：ＦＤＭ）ソリューションを構成する方法を示すフローチャート６００ｂである。フローチャート６００ｂは、ネットワークエンティティ１０４によりＵＥ１０２に提供されることができるソリューションの１つを示す。より具体的には、フローチャート６００ｂは、ＦＤＭタイプソリューションを構成する方法を示す。例えば、測定対象と関連したＬＴＥキャリア周波数がデバイス内の共存干渉により影響を受ける場合に、ＦＤＭソリューションは、デバイス内の共存干渉なしに、ＬＴＥキャリア周波数を同一のサービスを提供できる新たな周波数範囲に移動させ得る。
【００３３】
ステップ６０２乃至ステップ６０８は、図６Ａで説明したものと同一である。ステップ６１０において、ＵＥ１０２は、デバイス内の共存干渉情報をネットワークエンティティ１０４に報告する。ネットワークエンティティ１０４は、デバイス内の共存干渉に関する情報を受信する時に、ステップ６１２において、デバイス内の共存干渉を緩和するために提供されるソリューションのタイプを決定する。ステップ６１４において、ネットワークエンティティ１０４は、測定再設定（measurement re-configuration）をＵＥ１０２に送信する。例えば、測定再設定は、デバイス内の共存干渉により影響を受けたＬＴＥキャリア周波数のような同一のサービスを提供する、デバイス内の共存干渉により影響を受けない１つ以上の周波数であり得る。他の例において、測定再設定は、１つ以上の測定対象（measurement object）を含み、各測定対象は、ＬＴＥキャリア周波数を示す。
【００３４】
デバイス内の共存干渉により影響を受けるＬＴＥキャリア周波数を移動させるように１つ以上の周波数を設定するネットワークエンティティ１０４は、ＦＤＭタイプソリューションと呼ばれる。ＵＥ１０２は、ステップ６１６において、ネットワークエンティティ１０４により提供される測定再設定を適用する。その後に、測定対象に従う１つ以上の周波数に対する測定を実行した後に、ステップ６１８において、ＵＥ１２０は、対応する測定対象に対する測定を報告することにより、ネットワークエンティティ１０４がデバイス内の共存干渉により影響を受けない報告された周波数でハンドオーバを実行するか否かを決定するようにネットワークエンティティ１０４をサポートする。
【００３５】
図６Ｃは、本発明の他の実施形態によるＵＥ１０２のデバイス内の共存干渉を緩和するためのＴＤＭソリューションを構成する方法を示すフローチャート６００ｃである。フローチャート６００ｃは、ステップ６１０から開始される。ステップ６０２、６０４、６０６、及び６０８は、図６Ａで説明したものと同一である。ステップ６１２において、ネットワークエンティティ１０４は、ＵＥ１０２により報告されるデバイス内の共存干渉を緩和するためのＴＤＭソリューションを決定する。ＴＤＭソリューションを決定するにあたりに、ネットワークエンティティ１０４は、デバイス内の共存干渉と関連した情報に基づいてパラメータのセットを決定する。パラメータのセットは、ＴＤＭパラメータと呼ばれることもある。例えば、ＴＤＭパラメータは、不連続受信（ＤＲＸ）パラメータのセット、ＬＴＥ  ＨＡＲＱプロセスの個数を限定するＨＡＲＱビットマップ予約、及び送受信衝突回避が目的である場合の干渉回避ビットマップを含み得る。ステップ６２０において、ネットワークエンティティ１０４は、ＴＤＭパラメータでＵＥ１０２を再設定する。ステップ６２２において、ユーザ端末１０２は、再設定されたＴＤＭパラメータを適用する。
【００３６】
図６Ｄは、本発明の他の実施形態によるＵＥ１０２でのデバイス内の共存干渉を報告する方法を示すフローチャート６００ｄである。フローチャート６００ｄは、ステップ６０２から開始される。ステップ６０２において、ＵＥ１０２及びネットワークエンティティ１０４は、デバイス内の共存干渉を緩和するためのデバイス内の共存干渉ケーパビリティ情報を交換する。ステップ６０４において、ネットワークエンティティ１０４は、干渉トリガー基準（interference triggering criterion）を設定する。ステップ６０６において、ＵＥ１０２は、非ＬＴＥ帯域の動作開始を検出する。ステップ６０８において、ＵＥ１０２は、非ＬＴＥ帯域がＬＴＥ帯域とのデバイス内の共存干渉を引き起こすか否かを決定する。ステップ６１０において、ＵＥ１０２は、デバイス内の共存干渉情報をネットワークエンティティ１０４に報告する。
【００３７】
ステップ６２４において、ネットワークエンティティ１０４は、所定の条件の下で２個のオプションの中の１つを実行することができる。第１のオプションは、デバイス内の共存干渉と関連した干渉情報を受け入れ、図６Ｂ又は図６Ｃで説明したようなソリューションを提供し得る。ある状況において、ネットワークエンティティ１０４は、デバイス内の共存干渉と関連した干渉情報を無視することもある。これは、それが耐えられることが不可能な要請及び報告ですでに作業が飽和したネットワークエンティティ１０４などのような各種条件により発生し得る。したがって、ステップ６２６において、ネットワークエンティティ１０４は、ＵＥ１０２により送信される表示を拒絶し、何のソリューションもなしに拒絶メッセージを送信する。
【００３８】
図６Ｅは、本発明のもう１つの実施形態によるデバイス内の共存干渉の状態の変化を報告する方法を示すフローチャート６００ｅである。ステップ６０２乃至ステップ６０８は、図６Ａ乃至図６Ｄで説明したものと同一である。ステップ６１０において、本実施形態では、ＵＥ１０２が適切なソリューションを提供するためにデバイス内の共存干渉をネットワークエンティティ１０４に報告する。例示的な一実施形態において、ネットワークエンティティ１０４は、ステップ６２７において、ＴＤＭソリューション又はＦＤＭソリューションでＵＥを設定する。ステップ６２８において、ＵＥ１０２は、デバイス内の共存干渉の状態の変化を検出する。状態の変化は、デバイス内の共存干渉問題がＵＥ１０２で終了したという表示、又はＵＥ１０２により提供される干渉情報の変化を含み得る。ステップ６３０において、ＵＥ１０２は、デバイス内の共存干渉の状態の変化をネットワークエンティティ１０４に報告する。デバイス内の共存干渉情報が変更される場合に、ＵＥ１０２は、そのアップデートされたデバイス内の共存干渉情報をネットワークエンティティ１０４に送信する。
【００３９】
図７Ａは、本発明の一実施形態によるＵＥ１０２のデバイス内の共存干渉を緩和するソリューションを構成する方法を示すフローチャート７００aである。ステップ７０２において、ネットワークエンティティ１０４は、ＴＤＭソリューション及びＦＤＭソリューションの両方に対するケーパビリティサポートをＵＥ１０２に送信する。ステップ７０４において、ＵＥ１０２は、ＴＤＭソリューション及びＦＤＭソリューションの両方に対するケーパビリティサポートを送信する。ステップ７０６において、ネットワークエンティティ１０４は、デバイス内の共存干渉を報告するようにＵＥ１０２を設定する。
【００４０】
ステップ７０８において、ＵＥは、非ＬＴＥ帯域の動作開始を検出する。ステップ７１０において、ＵＥ１０２は、非ＬＴＥ帯域がＬＴＥ帯域に対する干渉を引き起こしているか否かを決定する。ステップ７１２において、ＵＥ１０２は、ソリューションの選択とともにデバイス内の共存干渉を報告する。ステップ７１４において、ネットワークエンティティ１０４は、干渉情報を確認し、ＵＥ１０２により表示される選択を決定する。
【００４１】
一実施形態において、干渉情報は、少なくとも１つのキャリア周波数の測定対象識別子、干渉方向（ＤＯＩ）、及びＨＡＲＱビットマップパターンを含む時間ドメイン多重化アシスタンス情報及びＤＲＸパラメータを具体的に含む。
【００４２】
一実施形態において、ＵＥの選好選択がＴＤＭソリューションである場合に、ステップ７１６において、ネットワークエンティティ１０４及びＵＥ１０２は、デバイス内の共存干渉を緩和するようにＴＤＭパラメータをＵＥ１０２に適用する。他の実施形態において、ＵＥが優先して選択するソリューションがＦＤＭソリューションである場合に、ステップ７１８において、ネットワークエンティティ１０４及びＵＥ１０２は、デバイス内の共存干渉を緩和するように測定再設定（ＦＤＭソリューション）を適用する。ＦＤＭ及びＴＤＭソリューションのすべては、図６Ｂ及び図６Ｃに詳細に説明されている。
【００４３】
図７Ｂは、本発明の他の実施形態によるＵＥ１０２のデバイス内の共存干渉を緩和するためのソリューションを構成する方法を示すフローチャート７００ｂである。フローチャート７００ｂは、ＵＥ１０２がネットワークエンティティ１０４により提供されるＦＤＭソリューションだけをサポートする例示的な実施形態を示す。ステップ７０２において、ネットワークエンティティ１０４は、ＦＤＭソリューションのみに対するケーパビリティサポートをＵＥ１０２に送信する。ステップ７２０において、ＵＥ１０２は、ＦＤＭソリューションと関連した干渉情報をネットワークエンティティ１０４に送信する。ＦＤＭ関連情報の送信の理由は、ネットワークエンティティ１０４がデバイス内の共存干渉を緩和するためにＦＤＭソリューションだけをサポートできるということにある。ステップ７２２において、ネットワークエンティティ１０４は、デバイス内の共存干渉を緩和するために、決定されたＦＤＭソリューションでＵＥ１０２を設定する。例えば、ネットワークエンティティ１０４がＵＥ１０２に提供できるＦＤＭソリューションの中の１つは、デバイス内の共存干渉により影響を受けるＬＴＥキャリア周波数を他の範囲の周波数に移動させることにより干渉を防止するものである。
【００４４】
図７Ｃは、本発明のもう１つの実施形態によるＵＥ１０２のデバイス内の共存干渉を緩和するためのソリューションを構成する方法を示すフローチャート７００ｃである。ステップ７０２において、ネットワークエンティティ１０４は、ＴＤＭソリューションだけに対するケーパビリティサポートをＵＥ１０２に送信する。ステップ７２４において、ＵＥ１０２は、ＴＤＭソリューションと関連した干渉情報をネットワークエンティティ１０４に送信する。ＴＤＭ関連情報をネットワークエンティティ１０４に送信する理由は、ネットワークエンティティ１０４がデバイス内の共存干渉を緩和するためにＴＤＭソリューションだけをサポートするためである。ステップ７２６において、ネットワークエンティティ１０４は、デバイス内の共存干渉を緩和するために決定されたＴＤＭソリューションでＵＥ１０２を設定する。例えば、ネットワークエンティティ１０４により決定されるＴＤＭソリューションは、新たに設定されたＵＥ１０２のＤＲＸパラメータであり得る。
【００４５】
図７Ｄは、本発明のもう１つの実施形態によるＵＥ１０２のデバイス内の共存干渉を緩和するためのソリューションを構成する方法を示すフローチャート７００ｄである。ステップ７０２において、ネットワークエンティティ１０４は、ＴＤＭソリューション及びＦＤＭソリューションの両方に対するケーパビリティサポートをＵＥ１０２に送信する。ステップ７０４において、ＵＥ１０２は、ＴＤＭソリューション及びＦＤＭソリューションの両方に対するケーパビリティサポートを送信する。ステップ７２８において、ネットワークエンティティ１０４は、１つのタイプのソリューション（例えば、ＦＤＭソリューション）にデバイス内の共存干渉を制限するようにＵＥ１０２を設定する。このソリューションを構成する間に、ネットワークエンティティ１０４は、ＵＥの選択を考慮しないということが認識されることができる。ステップ７３０において、ＵＥ１０２は、デバイス内の共存干渉を緩和するためのＦＤＭソリューションと関連した干渉情報をネットワークエンティティ１０４に送信する。ステップ７３２において、ネットワークエンティティ１０４は、デバイス内の共存干渉を緩和するためにＦＤＭソリューションでＵＥ１０２を設定する。
【００４６】
図７Ｅは、本発明のもう１つの実施形態によるＵＥ１０２のデバイス内の共存干渉を緩和するためのソリューションを構成する方法を示すフローチャート７００ｅである。ステップ７０２において、ネットワークエンティティ１０４は、ＴＤＭソリューション及びＦＤＭソリューションの両方に対するケーパビリティサポートをＵＥ１０２に送信する。ステップ７０４において、ＵＥ１０２は、ＴＤＭソリューション及びＦＤＭソリューションの両方に対するケーパビリティサポートを送信する。ステップ７２８において、ネットワークエンティティ１０４は、１つのタイプのソリューション（例えば、ＴＤＭソリューション）でデバイス内の共存干渉を制限するようにＵＥ１０２を設定する。このソリューションを構成する間に、ネットワークエンティティ１０４は、ＵＥの選択を考慮しないということが認識されることができる。ステップ７３４において、ＵＥ１０２は、デバイス内の共存干渉を緩和するためのＴＤＭソリューションと関連した干渉情報をネットワークエンティティ１０４に送信する。ステップ７３６において、ネットワークエンティティ１０４は、デバイス内の共存干渉を緩和するようにＴＤＭソリューションでＵＥ１０２を設定する。
【００４７】
図７Ｆは、本発明のもう１つの実施形態によるＵＥ１０２のデバイス内の共存干渉を緩和するためのソリューションを構成する方法を示すフローチャート７００ｆである。ステップ７０２において、ネットワークエンティティ１０４は、ＴＤＭソリューション及びＦＤＭソリューションの両方に対するケーパビリティサポートをＵＥ１０２に送信する。ステップ７０４において、ＵＥ１０２は、ＴＤＭソリューション及びＦＤＭソリューションの両方に対するケーパビリティサポートを送信し、そのソリューションの選択を表示する。ステップ７３８において、ネットワークエンティティ１０４は、ＵＥ１０２が表示したソリューション選択を考慮してデバイス内の共存干渉を報告するようにＵＥ１０２を設定する。ステップ７４０において、ＵＥ１０２は、デバイス内の共存干渉をネットワークエンティティ１０４に報告する。ステップ７４２において、ネットワークエンティティ１０４は、ＵＥが表示した選択に基づいてデバイス内の共存干渉を緩和するようにソリューションでＵＥを設定する。
【００４８】
図８Ａは、本発明の一実施形態によるソースネットワークエンティティからターゲットネットワークエンティティへの無線接続のハンドオーバの時におけるユーザ端末１０２の動作を示すフローチャート６００ｌである。ステップ８０２において、ネットワークエンティティ１０４（以下、ソースネットワークエンティティと呼ばれる）は、他のネットワークエンティティ（以下、ターゲットネットワークエンティティと呼ばれる）への無線接続のハンドオーバを実行するためのハンドオーバコマンド（handover command）を送信する。ステップ８０４において、ユーザ端末１０２は、ハンドオーバコマンドに対する応答をターゲットネットワークエンティティ１０４に送信する。
【００４９】
ステップ８０６において、ユーザ端末１０２は、ターゲットネットワークエンティティがデバイス内の共存干渉緩和をサポートするか否か及び現在構成されたソリューションをサポートするか否かを評価する。デバイス内の共存干渉緩和に対するサポート及びターゲットネットワークによりサポートされるソリューションは、ターゲットセルと関連したシステム情報ブロック（System Information Block：ＳＩＢ）又はハンドオーバコマンドから導出されることができる。また、進行中の無線接続のハンドオーバが発生する場合に、ＵＥ１０２は、デバイス内の共存干渉の存在を評価する。また、この評価は、ソースネットワークエンティティ、ターゲットネットワークエンティティ、ＵＥ具現、定義された標準、デバイス内の干渉が終了するものと関連した基準、及び／又はデバイス内の共存干渉緩和サポートとそのサポートされるソリューションが異なり得るＵＥとネットワークエンティティとの間のケーパビリティ差により提供されたデバイス内の干渉表示トリガーに対するパラメータに基づいてトリガーされ得る。あるいは、デバイス内の共存干渉に対する評価は、ハンドオーバコマンドでのパラメータに基づいてトリガーされ得る。例えば、ハンドオーバコマンドは、ＵＥがデバイス内の共存干渉交渉手順を再開するように要請し得る情報を含み得る。このような情報で、ターゲットネットワークエンティティは、現在の状態よりさらによいデバイス内の共存干渉の状況を得る。
【００５０】
ターゲットネットワークエンティティがデバイス内の共存干渉をサポートするが、現在活性中のソリューションをサポートしない場合に、ステップ８０８において、ＵＥ１０２は、現在活性中のソリューションの使用を中断する。ステップ８１０において、ＵＥ１０２は、デバイス内の共存干渉の存在をターゲットネットワークエンティティに報告することにより、ターゲットネットワークエンティティがそのサポートされるソリューションを提供してデバイス内の共存干渉を解決するようにする。
【００５１】
図８Ｂは、本発明の一実施形態によるソースネットワークエンティティからターゲットネットワークエンティティへの無線接続のハンドオーバの時におけるユーザ端末１０２の他の動作を示すフローチャート６００ｍである。ターゲットネットワークエンティティがデバイス内の共存干渉と現在活性中のソリューションをサポートする場合に、ステップ８１２において、ＵＥ１０２は、現在活性中のソリューションを継続して使用する。
【００５２】
図８Ｃは、本発明の一実施形態によるソースネットワークエンティティからターゲットネットワークエンティティへの無線接続のハンドオーバ時におけるユーザ端末１０２のもう１つの動作を示すフローチャート６００ｎである。ターゲットネットワークエンティティがデバイス内の共存干渉と現在活性中のソリューションをサポートしない場合に、ステップ８１４において、ＵＥ１０２は、現在活性中のソリューションの使用を中断する。
【００５３】
図９は、本発明の一実施形態による例示的なユーザ端末（ＵＥ）１０２の構成を示すブロック図である。本実施形態によるＵＥ１０２は、ＬＴＥモジュール１０８、コーディネータ１１０、非ＬＴＥモジュール１１２、通信インターフェース９０４、バス９０６、メモリ９０８、及び読出し専用メモリ（read-only memory：ＲＯＭ）９１０を含む。
【００５４】
本明細書で使用されるコーディネータ１１０は、マイクロプロセッサ、マイクロコントローラ、複合命令セットコンピューティングマイクロプロセッサ、縮小命令セットコンピューティングマイクロプロセッサ、非常に長い命令語マイクロプロセッサ、明示的並列命令コンピューティングマイクロプロセッサ、グラフィックプロセッサ、ディジタル信号プロセッサ、又は任意の他のタイプの処理回路のような任意のタイプの演算回路を意味し、これに限定されない。また、コーディネータ１１０は、エンベデッドコントローラ（embedded controllers）、例えば、ジェネリック（generic）又はプログラマブル論理デバイスやアレイ、特定用途向け集積回路（application specific integrated circuit：ＡＳＩＣ）、シングルチップコンピュータ（single-chip computers）、及びスマートカードなどを含むことができる。
【００５５】
メモリ９０８及びＲＯＭ９１０は、揮発性メモリ及び不揮発性メモリである。メモリ９０８は、測定対象に対応するＬＴＥキャリア周波数とＵＥ１０２での非ＬＴＥ周波数との間のデバイス内の共存干渉を処理するように構成される干渉管理サポートモジュール９１２を含む。また、干渉管理サポートモジュール９１２は、図２及び図６Ａ乃至図８Ｃにおいて、ＵＥ１０２により実行されるすべてのステップを実行するように構成される。様々なコンピュータ読取り可能な記憶媒体は、メモリ素子に保存される場合もあり、また、それらからアクセスされる場合もある。メモリ素子は、データ及び機械読取り可能な命令を保存するための任意の適切なメモリデバイス（ら）、例えば、読出し専用メモリ（read only memory：ＲＯＭ）、ランダムアクセスメモリ（random access memory：ＲＡＭ）、消去可能なプログラマブル読出し専用メモリ（erasable programmable read only memory：ＥＰＲＯＭ）、及び電気的に消去可能なプログラマブル読出し専用メモリ（electrically erasable programmable read only memory：ＥＥＰＲＯＭ）、ハードドライブ、コンパックディスクを処理するための脱着可能なメディアドライブ、ディジタルビデオディスク、ディスケット、磁気テープカートリッジ、メモリカード、メモリスティック（登録商標）などを含み得る。干渉管理サポートモジュール９１２は、上述した記憶媒体の中のいずれか１つに機械読取り可能な命令の形態で格納され得る。この記憶媒体に格納される機械読取り可能な命令は、コーディネータ１１０により実行される時に、ＵＥ１０２のコーディネータ１１０が図２、及び図６Ａ乃至図８Ｃの１つ以上のステップを実行するようにする。
【００５６】
バス９０６は、ネットワークエンティティ１０４の各種コンポーネントの間でインターコネクトとして機能する。通信インターフェース９０４のようなコンポーネントは、当業者によく知られており、したがって、これについては説明しない。
【００５７】
図１０は、本発明の一実施形態による例示的なネットワークエンティティ１０４の構成を示すブロック図である。図１０において、ネットワークエンティティ１０４は、プロセッサ１００２、バス１００６、通信インターフェース１００４、メモリ１００８、読出し専用メモリ（ＲＯＭ）１０１０、送信器１０１２、及び受信器１０１４を含む。
【００５８】
ここで使用されるプロセッサ１００２は、任意のタイプの演算回路、あるいはサーバ又は基地局を意味する。また、それは、マイクロプロセッサ、マイクロコントローラ、複合命令セットコンピューティングマイクロプロセッサ、縮小命令セットコンピューティングマイクロプロセッサ、非常に長い命令語マイクロプロセッサ、明示的並列命令コンピューティングマイクロプロセッサ、グラフィックプロセッサ、ディジタル信号プロセッサ、又は任意の他のタイプの処理回路のようなデバイスで具現されることができ、これに限定されない。また、プロセッサ１００２は、エンベデッドコントローラ、例えば、ジェネリック又はプログラマブル論理デバイスやアレイ、特定用途向け集積回路、シングルチップコンピュータ、及びスマートカードなどを含み得る。
【００５９】
メモリ１００８及びＲＯＭ１０１０は、揮発性メモリ及び不揮発性メモリである。メモリ１００８は、ＵＥ１０２に存在するデバイス内の共存干渉を緩和するように構成される干渉管理モジュール１０１６を含む。また、干渉管理モジュール１０１６は、図２及び図６Ａ乃至図８Ｃにおけるネットワークエンティティ１０４により実行されるすべてのステップを実行するように構成される。様々なコンピュータ読取り可能な記憶媒体は、メモリ素子に保存される場合もあり、また、それからアクセスされる場合もある。メモリ素子は、データ及び機械読取り可能な命令を保存するための任意の適切なメモリデバイス（ら）、例えば、読出し専用メモリ（read only memory：ＲＯＭ）、ランダムアクセスメモリ（random access memory：ＲＡＭ）、消去可能なプログラマブル読出し専用メモリ（erasable programmable read only memory：ＥＰＲＯＭ）、及び電気的に消去可能なプログラマブル読出し専用メモリ（electrically erasable programmable read only memory：ＥＥＰＲＯＭ）、ハードドライブ、コンパックディスクを処理するための脱着可能メディアドライブ、ディジタルビデオディスク、ディスケット、磁気テープカートリッジ、メモリカード、メモリスティック（登録商標）などを含み得る。また、干渉管理モジュール１０１６は、上述した任意の記憶媒体に機械読取り可能な命令の形態で保存され得る。上述した記憶媒体に記憶された機械読取り可能な命令は、プロセッサ１００２により実行される時に、プロセッサ１００２が図２及び図６Ａ乃至図８Ｃの１つ以上のステップを実行するようにする。
【００６０】
また、機械読取り可能な命令語は、コンピュータプログラムに保存され、これがプロセッサ１００２により実行される場合に、本発明の教示及びここに記述される実施形態に従って、プロセッサ１００２がＵＥ１０２に存在するデバイス内の共存干渉を緩和するようにする。一実施形態において、コンピュータプログラムは、コンパクトディスク読出し専用メモリ（compact disk-read only memory：ＣＤ−ＲＯＭ）に含まれ、ＣＤ−ＲＯＭから不揮発性メモリのハードドライブにローディングされ得る。
【００６１】
バス１００６は、ネットワークエンティティ１０４の各種コンポーネントの間のインターコネクトとして機能する。送信器１０１２、受信器１０１４、通信インターフェース１００４のようなコンポーネントは、当業者によく知られており、したがって、これについては説明しない。
【００６２】
本実施形態は、特定の例示的な実施形態を参照して記述され、各種実施形態の幅広い思想及び範囲から逸脱しない範囲内で、この実施形態の様々な修正及び変形がなされることができることは明白である。また、ここに説明される様々なデバイス、モジュールなどは、ハードウェア回路、例えば、相補型金属酸化膜半導体（complementary metal oxide semiconductor：ＣＭＯＳ）基盤論理回路、ファームウェア、ソフトウェア、及び／又はハードウェア、ファームウェアの組み合せ、及び／又は機械読取り可能な媒体で具現されたソフトウェアを使用して有効にされ動作され得る。例えば、様々な電気的な構造及び方法は、トランジスタ、論理ゲート、及び特定用途向け集積回路（ＡＳＩＣ）のような電気回路を使用して具現されることができる。
【００６３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００６４】
１００  無線オペレーション環境
１０２  ＵＥ
１０４  ネットワークエンティティ
１０６  無線エアインターフェース
１０８  ＬＴＥモジュール
１１０  コーディネータ
１１２  非ＬＴＥモジュール
２００  プロセスフローチャート
３０４  ＬＴＥキャリア周波数
３０６  非ＬＴＥ周波数
３０８  ＬＴＥキャリア周波数
３１０  ＬＴＥキャリア周波数
４０２  ブロック
４０６  時間ウィンドウ
５０２  シンボル
５０４  ＲＳＳＩしきい値
５０６  ＲＳＳＩ変動
５０６  参照符号
５０８  スロット
５１０  時間ウィンドウ
５１２  ＯＦＤＭ
９０４  通信インターフェース
９０６  バス
９０８  メモリ
９１０  ＲＯＭ
９１２  干渉管理サポートモジュール
１００２  プロセッサ
１００４  通信インターフェース
１００６  バス
１００８  メモリ
１０１０  ＲＯＭ
１０１２  送信器
１０１４  受信器
１０１６  干渉管理モジュール
【図１】
2015500600.tif 000003
【図２】
2015500600.tif 000004
【図３】
2015500600.tif 000005
【図４】
2015500600.tif 000006
【図５】
2015500600.tif 000007
【図６Ａ】
2015500600.tif 000008
【図６Ｂ】
2015500600.tif 000009
【図６Ｃ】
2015500600.tif 000010
【図６Ｄ】
2015500600.tif 000011
【図６Ｅ】
2015500600.tif 000012
【図７Ａ】
2015500600.tif 000013
【図７Ｂ】
2015500600.tif 000014
【図７Ｃ】
2015500600.tif 000015
【図７Ｄ】
2015500600.tif 000016
【図７Ｅ】
2015500600.tif 000017
【図７Ｆ】
2015500600.tif 000018
【図８Ａ】
2015500600.tif 000019
【図８Ｂ】
2015500600.tif 000020
【図８Ｃ】
2015500600.tif 000021
【図９】
2015500600.tif 000022
【図１０】
2015500600.tif 000023
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
端末でのデバイス内の共存（ＩＤＣ）問題を処理する方法であって、
測定対象が設定された少なくとも一つ以上のロングタームエボルーション（ＬＴＥ）キャリア周波数が前記ＩＤＣ問題により影響を受けるか否かを決定するステップと、 
前記測定対象が設定された少なくとも一つ以上のＬＴＥキャリア周波数が前記ＩＤＣ問題により影響を受ける場合、ネットワークエンティティに知らせるためにＩＤＣ問題により影響を受ける前記少なくとも一つ以上のＬＴＥキャリア周波数と関連した情報を含む第１のメッセージを送信するステップと、を含むことを特徴とする方法。
【請求項２】
前記第１のメッセージは、前記測定対象が設定された少なくとも一つ以上のＬＴＥキャリア周波数が前記ＩＤＣ問題により影響を受ける場合、時間ドメイン多重化（ＴＤＭ）ベースドアシスタンス情報を含むことを特徴とする請求項１に記載の方法。
【請求項３】
前記ＴＤＭベースドアシスタンス情報は、不連続受信（ＤＲＸ）パラメータをさらに含むことを特徴とする請求項２に記載の方法。
【請求項４】
端末でのデバイス内の共存（ＩＤＣ）問題を処理する装置であって、
測定対象が設定された少なくとも一つ以上のロングタームエボルーション（ＬＴＥ）キャリア周波数が前記ＩＤＣ問題により影響を受けるか否かを決定する制御部と、
前記測定対象が設定された少なくとも一つ以上のＬＴＥキャリア周波数が前記ＩＤＣ問題により影響を受ける場合、ネットワークエンティティに知らせるためにＩＤＣ問題により影響を受ける前記少なくとも一つ以上のＬＴＥキャリア周波数と関連した情報を含む第１のメッセージを送信する送信部と、を含むことを特徴とする装置。
【請求項５】
前記第１のメッセージは、前記測定対象が設定された少なくとも一つ以上のＬＴＥキャリア周波数が前記ＩＤＣ問題により影響を受ける場合、時間ドメイン多重化（ＴＤＭ）アシスタンス情報を含むことを特徴とする請求項４に記載の装置。
【請求項６】
前記ＴＤＭベースドアシスタンス情報は、不連続受信（ＤＲＸ）パラメータをさらに含むことを特徴とする請求項５に記載の装置。
【請求項７】
ネットワークエンティティでのデバイス内の共存（ＩＤＣ）問題を処理する方法であって、
測定対象が設定された少なくとも一つ以上のロングタームエボルーション（ＬＴＥ）キャリア周波数が前記ＩＤＣ問題により影響を受ける場合、前記ＩＤＣ問題により影響を受ける前記少なくとも一つ以上のＬＴＥキャリア周波数と関連した情報を含む第１のメッセージを受信するステップを含むことを特徴とする方法。
【請求項８】
前記第１のメッセージは、前記測定対象が設定された少なくとも一つ以上のＬＴＥキャリア周波数が前記ＩＤＣ問題により影響を受ける場合、時間ドメイン多重化（ＴＤＭ）アシスタンス情報を含むことを特徴とする請求項７に記載の方法。
【請求項９】
前記ＴＤＭベースドアシスタンス情報は、不連続受信（ＤＲＸ）パラメータをさらに含むことを特徴とする請求項８に記載の方法。
【請求項１０】
前記少なくとも一つ以上のＬＴＥキャリア周波数を構成するステップをさらに含むことを特徴とする請求項７に記載の方法。
【請求項１１】
ネットワークエンティティでのデバイス内の共存（ＩＤＣ）問題を処理する装置であって、
測定対象が設定された少なくとも一つ以上のロングタームエボルーション（ＬＴＥ）キャリア周波数が前記ＩＤＣ問題により影響を受ける場合、前記ＩＤＣ問題により影響を受ける前記少なくとも一つ以上のＬＴＥキャリア周波数と関連した情報を含む第１のメッセージを受信する受信部を含むことを特徴とする装置。
【請求項１２】
前記第１のメッセージは、前記測定対象が設定された少なくとも一つ以上のＬＴＥキャリア周波数が前記ＩＤＣ問題により影響を受ける場合、時間ドメイン多重化（ＴＤＭ）アシスタンス情報を含むことを特徴とする請求項１１に記載の装置。
【請求項１３】
前記ＴＤＭベースドアシスタンス情報は、不連続受信（ＤＲＸ）パラメータをさらに含むことを特徴とする請求項１２に記載の装置。
【請求項１４】
前記少なくとも一つ以上のＬＴＥキャリア周波数を構成する制御部をさらに含むことを特徴とする請求項１１に記載の装置。
【国際調査報告】
2015500600.tif 000024
2015500600.tif 000025